(57)【要約】      （修正有）【課題】計量を容易に確認可能な飲料容器を提供する。【解決手段】内側容器１０と外側容器１１とが結合されて内側容器と外側容器の間に密閉空間Ｓが形成された容器本体１を有する飲料用容器であって、内側容器の底面１０ａに飲料原料を計量可能な収容凹部１０ｂが形成されている。収容凹部１０ｂは、底面１０ａの中央部に形成される。また、容器本体１の上部に取っ手が一体形成されたリング状縁部２が設けられている。【選択図】図２
0003201622.tif 000002
【実用新案登録請求の範囲】
【請求項１】
内側容器と外側容器とが結合されて内側容器と外側容器の間に密閉空間が形成された容器本体を有する飲料用容器であって、
内側容器の底面に飲料原料を計量可能な収容凹部が形成されていることを特徴とする飲料用容器。
【請求項２】
前記収容凹部は、前記底面の中央部に形成されることを特徴とする請求項１に記載の飲料用容器。
【請求項３】
前記容器本体の上部に取っ手が一体形成されたリング状縁部が設けられていることを特徴とする請求項１又は２に記載の飲料用容器。
【請求項４】
前記リング状縁部の上に着脱自在に設けられる容器蓋を有し、この容器蓋は、容器本体の置き台としても機能することを特徴とする請求項３に記載の飲料用容器。
【考案の詳細な説明】
【技術分野】
【０００１】
本考案は、内側容器と外側容器とが結合されて内側容器と外側容器の間に密閉空間が形成された容器本体を有する飲料用容器に関する。
【背景技術】
【０００２】
飲料用容器として、コーヒー等の飲料を飲むためのカップが一般的である。通常インスタントコーヒーを作る時は、カップの中に所定量のコーヒー粉末を入れてお湯を注ぐようにしている。この場合、コーヒー粉末の量とお湯の量を適切にしないと、一定の味のコーヒーを作ることができない。また、一定の味のコーヒーをいつも飲むためには、毎回計量を正確にできる必要がある。
【０００３】
一方、下記特許文献１は、立体的量目表示を設けた椀を開示する。この椀は、椀体の内面に隆起突出した複数本の凸状で、椀体に収容した飲食物の体積を表示できるようにしている。
【先行技術文献】
【特許文献】
【０００４】
【特許文献１】特許第４０５８４６４号
【考案の概要】
【考案が解決しようとする課題】
【０００５】
しかしながら、椀体の内面に形成した凸状は視認することが難しいことがあり、特に、底面近くに形成された凸状は、そのような傾向があった。
【０００６】
本考案は上記実情に鑑みてなされたものであり、その課題は、計量を容易に確認可能な飲料容器を提供することである。
【課題を解決するための手段】
【０００７】
上記課題を解決するため本考案に係る飲料用容器は、
内側容器と外側容器とが結合されて内側容器と外側容器の間に密閉空間が形成された容器本体を有する飲料用容器であって、内側容器の底面に飲料原料を計量可能な収容凹部が形成されていることを特徴とするものである。
【０００８】
この飲料用容器は、容器本体を有し、内側容器と外側容器により構成されている。両者の間に密閉空間が形成されており、保温機能を高めている。内側容器の底面に収容凹部が形成されており、この凹部に飲料原料が収容される。この凹部の大きさが必要な飲料原料の量に対応するものであり、使用者は容易に必要な量を確認することができる。従って、計量を容易に確認可能になり、毎回同じ品質の飲料を飲むことができる。
【０００９】
本考案に係る前記収容凹部は、前記底面の中央部に形成されることが好ましい。中央部に設けることで、凹部への収容も容易に行うことができ確認しやすくなる。
【００１０】
本考案において、前記容器本体の上部に取っ手が一体形成されたリング状縁部が設けられていることが好ましい。
【００１１】
かかるリング状縁部を設けることで、飲料を飲む時の口当てとして利用すると共に、容器本体の上部に設けることで、内側容器と外側容器の密封度を高めることができる。
【００１２】
本考案において、前記リング状縁部の上に着脱自在に設けられる容器蓋を有し、この容器蓋は、容器本体の置き台としても機能することが好ましい。
【００１３】
容器蓋を設けることで保温性を確保することができる。また、置き台としても利用できる形状にしておけば、容器蓋を外したときに邪魔にならず便利である。
【図面の簡単な説明】
【００１４】
【図１】飲料用容器の外観構成を示す斜視図
【図２】飲料用容器の構造を示す断面図
【図３】リング状縁部の構成を示す断面図
【図４】容器蓋の構成を示す断面図
【図５】飲料用容器の使用例を示す図
【図６】飲料用容器の別実施形態を示す図
【考案を実施するための形態】
【００１５】
本考案に係る飲料用容器の好適な実施形態を図面を用いて説明する。図１は飲料用容器の外観を示す斜視図であり、（ａ）は蓋をした状態、（ｂ）は蓋を外した状態を示す。
【００１６】
＜飲料用容器の構成＞
飲料用容器は、主にインスタントコーヒーを飲むときに用いるものであるが、本考案はこれに限定されるものではない。図１に示すように、飲料用容器は、容器本体１、リング状縁部２、容器蓋３により構成される。容器蓋３は、着脱自在であり、飲料を作製するときや飲む時には取り外される。また容器蓋３は、置き台（コースター）としても利用可能である。図１（ｂ）は、容器蓋３を容器の置き台として使用した状態を示している。これにより、容器蓋３が無駄に場所を取らないようにすることができる。
【００１７】
図２に示すように、容器本体１は、内側容器１０と外側容器１１により構成される。内側容器１０と外側容器１１は、上部にある接合部１２において一体的に結合され、空間Ｓが密封される。空間Ｓは真空であり、これにより、保温性を高めている。空間Ｓを真空処理する方法は公知の方法で行うことができる。内側容器１０と外側容器１１は、アルミニウムあるいはステンレス等の金属、あるいは陶器等により形成することができる。外側容器１１の外観は、塗装等の表面処理が施される。
【００１８】
内側容器１０は、底面１０ａを有し、底面１０ａの中央部に収容凹部１０ｂが形成される。底面１０ａは中央に向かうにつれて緩やかに下方に傾斜した面を有する。収容凹部１０ｂは、略円筒形の凹部であり、角部１０ｃにはＲが形成されており、コーヒー粉末等がたまりにくいようにしている。内壁面１０ｄは、上方に向かうにつれて緩やかに拡径するような傾斜面が形成されている。
【００１９】
内側容器１０には、目盛り線１０ｃが一体形成されており、お湯を入れる時の目安として利用することができる。目盛り線１０ｃは、突起の形で一体形成することができる。また、内側容器１０の上端部近くにも目盛り線１０ｅを一体形成することができる。
【００２０】
外側容器１１は、外壁面１１ｄを有し、内側容器１０の内壁面１０ｄとほぼ平行に立ち上がっており、上方に行くほど拡径に形成されている。外壁面１１ｄの上端に段差１１ａが形成され、凹溝１１ｂへと続く。凹溝１１ｂから突起１１ｃへとつながり、さらに接合部１２へと続く。接合部１２は、非常に細くなっており、内側容器１０の素材の厚みと外側容器１１の素材の厚みを合わせた厚みになっている。
【００２１】
凹溝１１ｂの内径は、外壁面１１ｄの外径の大きさよりも小さく、突起１１ｃの外径も外壁面１１ｄの外径よりも小さいが、凹溝１１ｂの内径よりは大きくなるように設定されている。
【００２２】
＜リング状縁部の構成＞
図２に示すように、リング状縁部２は、本体部２０と取っ手２１が一体成型されている。リング状縁部２は、好ましくは、樹脂により形成される。本体部２０の内壁面は、下方から第１部分２０ａ、第２部分２０ｂ、第３部分２０ｃが順に形成されている。第２部分２０ｂは、第１部分２０ａと第３部分２０ｃよりも内径が大きく、凹部となっている。このリング状縁部２を容器本体１の接合部１２に嵌合させたときに、凹部である第２部分２０ｂが、外側容器１１の凸部１１ｃにちょうど嵌合するようになっている。かかる構成により、リング状縁部２は、容器本体１に対して強固に結合され、リング状縁部２が容器本体１から脱落しないようにしている。
【００２３】
＜容器蓋の構成＞
図４に示すように、容器蓋３は、天板部３０とリング部３１とが樹脂により一体形成されている。リング部３１の外径は、本体部３０の外径より小さく、このリング部３１がちょうどリング状縁部２の上から入り込む。天板部３０は、その内部に面積の広い凹部３０ａが形成されている。容器蓋３を設けることで、職場等で使用する場合、埃などを気にせずに使用することができる。
【００２４】
図１（ｂ）のように容器蓋３を置き台（コースター）として使用するときは、外側容器１０の底面１１ｅが載置される載置面として機能する。従って、凹部３０ａの内径は、外側容器１０を受け入れるのに十分な大きさを有する。
【００２５】
＜使用例＞
つぎに、以上説明してきた飲料用容器の使用例を図５により説明する。収容凹部１０ｂにインスタントコーヒーの粉末（飲料原料に相当）を入れる。インスタントコーヒーの場合は、粉末２ｇに対してお湯１４０ｍｌ、４ｇに対して２８０ｍｌである。従って、かかる量に対応して、収容凹部１０ｂの大きさを設定し、目盛り線１０ｃ，１０ｅの位置を設定することが好ましい。収容凹部１０ｂを設けることで、使用者はコーヒー粉末の量を容易に計量することができ、いつも同じ味のコーヒーを味わうことができる。
【００２６】
＜飲料用容器の別実施形態＞
図６は、飲料用容器の別実施形態を示す図である。この実施形態では、収容凹部１０ｂが中央部ではなく、壁面近くに設けられている。また、収容凹部１０ｂの形状も円筒形ではなく異形となっている。
【００２７】
以上のように、収容凹部１０ｂの位置は中央部でなくてもよく、底面１０ａの任意の箇所に設けることができる。また、その場合も、収容凹部１０ｂの形状は、特定の形状に限定されるものではなく、円筒形、角柱形、半球など種々の形状を採用することができる。
【００２８】
＜その他の実施形態＞
本実施形態では、インスタントコーヒーを作製する場合について説明したが、飲料としては、ココア、抹茶、ジュース等であってもよい。また、飲料原料は、粉末形態でなくてもよく、カルピスのような液体であってもよい。
【００２９】
内側容器１０に形成される目盛り線の数は適宜設定することができる。収容凹部１０ｂを１つだけでなく複数設けてもよい。例えば、容量の異なる収容凹部を複数設けることができる。容器蓋は必ずしもなくてもよい。
【符号の説明】
【００３０】
Ｓ          空間
１          容器本体
１０        内側容器
１０ａ      底面
１０ｂ      収容凹部
１０ｃ      目盛り線
１０ｄ      内壁面
１０ｅ      目盛り線
１１        外側容器
２          リング状縁部
２０        本体部
２１        取っ手
３          容器蓋
３０        天板部
３０ａ      凹部
３１        リング部
【図１】
0003201622.tif 000003
【図２】
0003201622.tif 000004
【図３】
0003201622.tif 000005
【図４】
0003201622.tif 000006
【図５】
0003201622.tif 000007
【図６】
0003201622.tif 000008